(57)【要約】      （修正有）【課題】  これまでに、滅菌パック開封後の治療用ディスポーザブル鍼は、医学的には不潔とみなされる治療用ワゴンに直接置かれるなどの、不衛生な部位に接する状況にあった。本発明では治療時に、滅菌ほん包された治療用ディスポーザブル鍼を安定して把持・固定するために鍼固定器具を提供する。【解決手段】鍼固定器具本体は、硬度４５から９０までの弾力素材に適度な切り込みの切り込み加工部Ｃを設けて、切り込み部と素材の弾力性とにより、滅菌ほん包された治療用ディスポーザブル鍼が挟み込まれ固定される。鍼管付きの鍼自体を取り出すときには、鍼固定器具本体の重量が反作用することで、円滑に鍼管付きの鍼が取り出せる。鍼を取り出す際に、やや前下方に鍼を倒しながら操作すると、テコの原理で、滅菌パックのみが鍼固定器具に強く接着し、より簡易に鍼を取り出すことができる。【選択図】図１
2006204852.tif 000002
【特許請求の範囲】
【請求項１】
滅菌ほん包された治療用ディスポーザブル鍼を、把持・固定するために２方向から４５度以下の切り込み加工を入れ、自由な角度に傾斜して固定できることを特徴とする、硬度４５から９０までの素材による鍼固定器具。
【請求項２】
請求項１記載の鍼固定器具の複数個の組み合わせにより、治療者のニーズに応じた実施形態を自由に作り出せることを特徴とした鍼固定器具。
【発明の詳細な説明】
【技術分野】
【０００１】  この発明は、鍼治療を行う際の補助器具となる、鍼固定器具の形状および使用方法に関するものである。
【背景技術】
【０００２】  近年、医療上の感染防止と安全性面から、体内に挿入する治療器具は、滅菌された清潔な器具が使用されている。鍼治療用の鍼についても同様であり、一本ずつ滅菌状態でほん包されているものが多く使用されている。だが、一本ずつ滅菌状態でほん包されていても、治療で用いる際、滅菌部位を維持するためにしっかりと鍼を固定する事を目的とした補助具は開発されていない。そのため、鍼をほん包している滅菌パックを開封した後には、それを治療用ワゴンに直接置くなどの処置が行われており、不衛生な部位に接する機会が多く存在する。そのため、本発明では、滅菌ほん包された治療用ディスポーザブル鍼を、治療時に安定して把持・固定するために、切り込み加工のあることを特徴とした鍼固定器具を開発した。
【発明の開示】
【発明が解決しようとする課題】
【０００３】  一本ずつ滅菌状態でほん包されている治療用鍼を、滅菌パック開封後にも、元々の滅菌状態を確実に保つため、安定してこれを把持・固定できる補助具（鍼固定器具）を開発することを課題とした。また、この発明により、滅菌パック開封後の治療用ディスポーザブル鍼が、不衛生な部位に接する機会を少なくすることができ、鍼治療時におけるディスポーザブル鍼操作上の衛生管理の向上を得ることを課題とした。
【課題を解決するための手段】
【０００４】  以上の課題を解決するために、第一発明として、滅菌状態でほん包されているディスポーザブル鍼を、安定して把持・固定する粗面状の切り込み加工を２方向から施した鍼固定器具を考案した。
第二発明としては、第一発明の鍼固定器具を複数個組み合わせることにより、治療者のニーズに応じた実施形態を自由に作り出せることを特徴とした鍼固定器具を考案した。
【発明の効果】
【０００５】  第一発明によれば、滅菌ほん包された治療用ディスポーザブル鍼を、治療時に安定して把持・固定できるために、滅菌パック開封後にも、元々の滅菌状態を確実に保つことができるようになった。これまでは、鍼をほん包している滅菌パックを開封した後には、それを治療用ワゴンに直接置くなどの処置が行われており、不衛生な部位に鍼が接する可能性が高かった。この発明により、滅菌パック開封後の治療用ディスポーザブル鍼が、不衛生な部位に接する機会を少なくすることができ、鍼治療時におけるディスポーザブル鍼操作上の衛生管理が向上するという効果が得られる。
さらに、２方向からの切り込み加工の角度（Ｃ）と向きを任意に設定することで、治療用ディスポーザブル鍼を自由な角度に傾斜して固定することが可能となる。そのため、治療者の方向に鍼上部を差し出す形となり、治療者が鍼を操作する際の手際が向上するという効果が得られる。
第二発明によれば、第一発明の鍼固定器具の本体複数個の組み合わせにより、治療者個々のニーズに応じた鍼固定器具の実施形態を作り出すことが可能である。
これらの発明により、鍼治療時におけるディスポーザブル鍼の操作が円滑となり、衛生管理も飛躍的に向上し、より安全、且つ衛生的に鍼治療を施行することが可能となる。
【発明を実施するための最良の形態】
【０００６】  この発明の一実施形態を、図１に示す。
鍼固定器具本体（１）の材質は、硬度４５から９０までの、天然ゴム、合成ゴム、樹脂類、シリコンなどの素材が適当である。しかしその目的から、滅菌パックにほん包されているディスポーザブル鍼を、安定して把持・固定する上記の硬度を示す弾力性のある素材ならばその材質に制限はない。図１には切り込み加工部（Ｃ）の口を１ｃｍ幅、背面の切り込みを４０ｍｍ垂直に入れ、前面の切り込みの低点を背面の切り込みの低点を合わせるように裁断した鍼固定器具の例を示した。切り込み加工部の口の幅と、前面の切り込みの位置を変えることで、自由に切り込み角度（Ｃ）を変える事ができる。切り込み加工角度（Ｃ）は、滅菌パックにほん包されているディスポーザブル鍼をしっかり把持する角度であり、市販されているディスポーザブル鍼に合わせると４５度以下が適当である。切り込み加工面は粗面加工を施すと効果的である。しかし、切り込み角度が１５度未満の場合は、素材の弾力性で滅菌パックにほん包されているディスポーザブル鍼が強く挟み込まれるため、粗面加工が無くても効果的ではある。尚、本体の色については、素材の色に依り、制限はない。
また、本体複数個の組み合わせにより、治療者個々のニーズに応じた鍼固定器具の実施形態を作り出すことが可能となる。
【実施形態の効果】
【０００７】  この実施形態によれば、滅菌ほん包された治療用ディスポーザブル鍼を、治療時に安定して把持・固定できるために、滅菌パック開封後にも、元々の滅菌状態を確実に保ちながら鍼治療を行えるようになった。
切り込み加工部（Ｃ）では、切り込み部と素材の弾力性により、滅菌ほん包された治療用ディスポーザブル鍼が挟み込まれ固定される。そして、鍼管付きの鍼自体を取り出すときには、鍼固定器具本体（１）の重量が反作用することで、円滑に鍼管付きの鍼が取り出せる。鍼を取り出す際に、やや前下方に鍼を倒しながら操作すると、テコの原理で、滅菌パックのみが鍼固定具に強く接着し、より楽に鍼を取り出すことができる。
この発明により、滅菌パック開封後の治療用ディスポーザブル鍼が、不衛生な部位に接する機会を少なくすることができ、鍼治療時におけるディスポーザブル鍼操作上の衛生管理が向上するという効果が得られる。
【他の実施形態】
【０００８】  図１に示した外寸を基本とするが、これを対比に基づき縮小・拡大しても良い。しかし、切り込みの角度（Ｃ）は４５度以下に保たなくては、把持・固定ができなくなるため、これを維持することとする。また、本体を複数個組み合わせることにより、治療者のニーズに応じた鍼固定器具の実施形態を作り出すことが可能である。
また、治療用ディスポーザブル鍼の把持・固定のみではなく、医療用注射針の把持・固定にも応用できる。
【図面の簡単な説明】
【０００９】
【図１】この発明の一実施形態を示す。左上方から見た立体図である。（Ｃ）の切り込みの加工角度は４５度以下とする。
【図２】この発明の一実施形態を示す。正面図および側面図を示す。
【符号の説明】
【００１０】（１）鍼固定器具本体    Ｃ：切り込み加工角度
【図１】
2006204852.tif 000003
【図２】
2006204852.tif 000004